(57)【要約】【課題】書類を好適に印刷できる印刷装置をユーザに紹介するとともに、その印刷装置から書類の情報が漏洩するのを防止する。【解決手段】印刷支援システム１に、印刷装置２ごとの性能および設置場所を示す属性情報を記憶する情報管理部１ＤＢと、印刷対象の書類の画質を示す書類属性情報７１を受信する印刷要求受付部１０１と、ユーザの携帯する端末装置３の位置情報７２を受信する位置情報取得部１０２と、各印刷装置２の属性情報と受信した書類属性情報７１および位置情報７２とを比較してそのユーザの近くにありかつその書類の印刷に適した印刷装置２を選定する出力先候補選定部１０３と、選定結果を端末装置３に通知する出力先候補通知部１０４と、そのユーザが指定した印刷装置２の設置場所にそのユーザが着いたときにその書類の印刷を開始するようにその印刷装置２に対して指令する印刷指令部１０７と、を設ける。【選択図】図３
2005275724.tif 000002
【特許請求の範囲】
【請求項１】
印刷装置ごとに当該印刷装置の性能および設置場所を示す属性情報を記憶する属性情報記憶手段と、
印刷を所望するユーザが携帯する端末装置から、印刷対象である書類の画質を示す画質情報を受信する画質情報受信手段と、
前記端末装置の位置を示す位置情報を受信する位置情報受信手段と、
前記各印刷装置の前記属性情報と受信した前記画質情報および前記位置情報とを比較することによって前記ユーザの近くにありかつ前記書類の印刷に適した１台または複数台の前記印刷装置を選定する印刷装置選定手段と、
前記印刷装置選定手段による選定結果を前記端末装置に通知する選定結果通知手段と、
前記端末装置から、前記ユーザが前記書類の印刷先に指定した前記印刷装置を示す指定情報を受信する指定情報受信手段と、
前記位置情報受信手段によって受信された最新の前記位置情報に示される位置が前記指定情報に示される前記印刷装置の前記属性情報に示される設置場所と一致したときに、当該印刷装置が前記端末装置より取得した前記書類の印刷データに基づいて印刷処理を開始するように当該印刷装置に対して指令する、印刷指令手段と、
を有することを特徴とする印刷支援システム。
【請求項２】
前記指定情報受信手段は、前記書類の前記指定情報とともに当該書類の重要度を示す重要度情報を受信し、
前記印刷指令手段は、前記書類の前記重要度情報に当該書類が重要でない旨が示される場合は、前記位置情報に示される位置に関わらず、当該書類の印刷処理を開始するように指令する、
請求項１記載の印刷支援システム。
【請求項３】
印刷装置ごとに当該印刷装置で実現可能な印刷スタイルおよび当該印刷装置の設置場所を示す属性情報を記憶する属性情報記憶手段と、
印刷を所望するユーザが携帯する端末装置から、印刷対象の書類の画質を示す画質情報を受信する画質情報受信手段と、
前記端末装置の位置を示す位置情報を受信する位置情報受信手段と、
画質をクラス分けした画質クラスごとに、当該画質クラスに属する画質の書類を印刷する場合の前記ユーザの好みの印刷スタイルを記憶する好みスタイル記憶手段と、
受信した前記画質情報に示される画質の属する前記画質クラスの、前記ユーザの好みの印刷スタイルを実現可能でありかつ設置場所が前記ユーザの近くである前記印刷装置を選定する印刷装置選定手段と、
前記印刷装置選定手段による選定結果を前記端末装置に通知する選定結果通知手段と、
前記端末装置から、前記ユーザが前記印刷対象の書類の印刷先に指定した前記印刷装置を示す指定情報を受信する指定情報受信手段と、
前記位置情報受信手段によって受信される最新の前記位置情報に示される位置が前記指定情報に示される前記印刷装置の前記属性情報に示される設置場所と一致したときに、当該印刷装置が当該端末装置より取得した前記印刷対象の書類の印刷データに基づいて印刷処理を開始するように当該印刷装置に対して指令する、印刷指令手段と、
を有することを特徴とする印刷支援システム。
【請求項４】
印刷を所望するユーザが外出先で書類の印刷を行うための支援を行う印刷支援方法であって、
印刷装置ごとに当該印刷装置の性能および設置場所を示す属性情報を属性情報記憶手段に記憶させておき、
前記ユーザが携帯する端末装置から、印刷対象の書類の画質を示す画質情報を受信するステップと、
前記端末装置の位置を示す位置情報を受信するステップと、
前記各印刷装置の前記属性情報と受信した前記画質情報および前記位置情報とを比較することによって前記ユーザの近くにありかつ前記印刷対象の書類の印刷に適した１台または複数台の前記印刷装置を選定するステップと、
選定結果を前記端末装置に通知するステップと、
前記端末装置から、前記ユーザが前記印刷対象の書類の印刷先に指定した前記印刷装置を示す指定情報を受信するステップと、
受信された最新の前記位置情報に示される位置が前記指定情報に示される前記印刷装置の前記属性情報に示される設置場所と一致したときに、当該印刷装置が前記端末装置より取得した前記印刷対象の書類の印刷データに基づいて印刷処理を開始するように当該印刷装置に対して指令するステップと、
を有することを特徴とする印刷支援方法。
【請求項５】
印刷を所望するユーザが外出先で書類の印刷を行うための支援を行うコンピュータに用いられるコンピュータプログラムであって、
印刷装置ごとに当該印刷装置の性能および設置場所を示す属性情報を記憶する属性情報記憶手段にアクセスする処理と、
前記ユーザが携帯する端末装置から、印刷対象の書類の画質を示す画質情報を受信する処理と、
前記端末装置の位置を示す位置情報を受信する処理と、
前記各印刷装置の前記属性情報と受信した前記画質情報および前記位置情報とを比較することによって前記ユーザの近くにありかつ前記印刷対象の書類の印刷に適した１台または複数台の前記印刷装置を選定する処理と、
選定結果を前記端末装置に通知する処理と、
前記端末装置から、前記ユーザが前記印刷対象の書類の印刷先に指定した前記印刷装置を示す指定情報を受信する処理と、
受信された最新の前記位置情報に示される位置が前記指定情報に示される前記印刷装置の前記属性情報に示される設置場所と一致したときに、当該印刷装置が前記端末装置より取得した前記印刷対象の書類の印刷データに基づいて印刷処理を開始するように当該印刷装置に対して指令する処理と、
をコンピュータに実行させるためのコンピュータプログラム。
【発明の詳細な説明】
【技術分野】
【０００１】
本発明は、ネットワーク上で共用される印刷装置で印刷を行うためのシステムおよび方法に関する。
【背景技術】
【０００２】
近年、モバイル型の端末装置の普及、携帯電話回線およびＰＨＳ回線の高速化、およびインターネット環境の充実などに伴って、外出先で書類のコンテンツ（電子データ）を必要なときに簡単に入手できるようになった。
【０００３】
また、コンビニエンスストア、駅、レンタルオフィス、事務サービス店、または写真店などの施設に、フロッピディスクまたはメモリカードなどのリムーバブルな記録媒体を介して書類を印刷（プリントアウト）することができる印刷装置が徐々に設置されるようになった。
【０００４】
このように、今後、外出先で書類の電子データを取得し、近くのコンビニエンスストアなどの施設に設置されている印刷装置によってその書類を印刷する、というユーザが、ますます増加すると予想される。また、様々な機種の印刷装置が施設に設置されるようになると予想される。
【０００５】
しかしながら、このような印刷装置があちらこちらの施設に設置されたとしても、印刷対象の書類をユーザの所望する品質などの条件に合わせて印刷することができる印刷装置を外出先で上手く見つけることは困難である。
【０００６】
そこで、特許文献１〜３に記載されるような、複数の印刷装置の中から印刷対象の書類に適した印刷装置を判別する方法を用いることが考えられる。
【特許文献１】特開２００１−２６５５５４号公報
【特許文献２】特開２００２−１３２９０１号公報
【特許文献３】特開２００３−１５８４８号公報
【発明の開示】
【発明が解決しようとする課題】
【０００７】
ところが、特許文献１〜３に記載されるような従来の方法では、ユーザの所望する条件に合致した印刷装置が選択されると、ユーザがその書類の印刷物をすぐに受け取ることができる状態にあるか否かに関わらず、その印刷装置で印刷処理が行われてしまう。したがって、従来の方法を、コンビニエンスストアなどの施設に設置する印刷装置に適用すると、書類の印刷物を他人に見られたり盗まれたりして、重要な情報が漏洩してしまうおそれがある。
【０００８】
本発明は、このような問題点に鑑み、印刷対象の書類を好適に印刷することができる近くの印刷装置をユーザに紹介するとともに、その印刷装置から書類の情報が漏洩するのを防止することを目的とする。
【課題を解決するための手段】
【０００９】
本発明に係る印刷支援システムは、印刷装置ごとに当該印刷装置の性能および設置場所を示す属性情報を記憶する属性情報記憶手段と、印刷を所望するユーザが携帯する端末装置から、印刷対象である書類の画質を示す画質情報を受信する画質情報受信手段と、前記端末装置の位置を示す位置情報を受信する位置情報受信手段と、前記各印刷装置の前記属性情報と受信した前記画質情報および前記位置情報とを比較することによって前記ユーザの近くにありかつ前記書類の印刷に適した１台または複数台の前記印刷装置を選定する印刷装置選定手段と、前記印刷装置選定手段による選定結果を前記端末装置に通知する選定結果通知手段と、前記端末装置から、前記ユーザが前記書類の印刷先に指定した前記印刷装置を示す指定情報を受信する指定情報受信手段と、前記位置情報受信手段によって受信された最新の前記位置情報に示される位置が前記指定情報に示される前記印刷装置の前記属性情報に示される設置場所と一致したときに、当該印刷装置が前記端末装置より取得した前記書類の印刷データに基づいて印刷処理を開始するように当該印刷装置に対して指令する、印刷指令手段と、を有することを特徴とする。
【００１０】
前記印刷データは、当該印刷支援システムを介さずに、前記端末装置から前記印刷装置に送信される。当該印刷支援システムは、次のようなタイミングで前記印刷データを送信するように前記端末装置を制御する。例えば、前記指定情報が前記端末装置から送信されてきたら直ちに前記印刷データを送信するように前記端末装置を制御する。または、前記位置情報受信手段によって受信される前記端末装置の最新の前記位置情報に示される位置と前記指定に係る前記印刷装置の前記属性情報に示される設置場所との距離が所定の値以内になったときに、前記印刷データを送信するように前記端末装置を制御する。
【００１１】
なお、本発明において、「ユーザの位置が印刷装置の設置場所と一致する」とは、両者の経緯度が完全に一致することを意味するものではない。「ユーザが印刷装置の設置場所にいる」と認識できる程度に両者の差が小さいことを、意味する。
【発明の効果】
【００１２】
本発明によると、印刷対象の書類を好適に印刷することができる近くの印刷装置をユーザに紹介するとともに、その印刷装置から書類の情報が漏洩するのを防止することができる。請求項３の発明によると、ユーザの好みに合った印刷装置をユーザに紹介することができる。
【発明を実施するための最良の形態】
【００１３】
図１は印刷システム１００の全体的な構成の例を示す図、図２は印刷支援システム１のハードウェア構成の例を示す図、図３は印刷支援システム１の機能的構成の例を示す図である。
【００１４】
印刷システム１００は、図１に示すように、本発明に係る印刷支援システム１、印刷装置２、端末装置３、および通信回線４などによって構成される。印刷支援システム１、印刷装置２、および端末装置３は、互いに通信回線４を介して接続可能である。通信回線４として、インターネット、公衆回線（固定電話回線、携帯電話回線、ＰＨＳ回線など）、または専用線などが用いられる。
【００１５】
印刷装置２は、ネットワーク機能を有するプリンタであって、コンビニエンスストア、ショッピングセンタ、駅、レンタルオフィス、事務サービス店、または写真店などに設置される。印刷装置２として、後に説明するような通信機能を備えた複写機または複合機などが用いられる。以下、印刷装置２が設置されているコンビニエンスストアなどの施設を「サービスセンタ」と記載する。
【００１６】
端末装置３は、インターネットに接続する機能およびＧＰＳ（Global Positioning System）機能を有する、モバイルタイプの端末装置である。端末装置３として、ＰＤＡ（Personal Digital Assistant）、携帯電話端末、ＰＨＳ（Personal Handy-phone System）端末、またはノート型パソコンなどが用いられる。または、カーナビゲーションシステムの端末装置を用いてもよい。端末装置３には、印刷支援システム１に対して印刷要求を行いかつ出力先（印刷先）の印刷装置２に書類のデータを送信するための仮想プリンタドライバがインストールされている。
【００１７】
印刷支援システム１は、図２に示すように、ＣＰＵ１ａ、ＲＡＭ１ｂ、ＲＯＭ１ｃ、磁気記憶装置１ｄ、および通信インタフェース１ｅなどによって構成される。磁気記憶装置１ｄには、図３に示すような、印刷要求受付部１０１、位置情報取得部１０２、出力先候補選定部１０３、出力先候補通知部１０４、出力先指定受付部１０５、データ送信指令部１０６、印刷指令部１０７、回答情報受付部１０８、および情報管理部１ＤＢなどの機能を実現するためのプログラムおよびデータがインストールされている。これらのプログラムおよびデータは必要に応じてＲＡＭ１ｂにロードされ、ＣＰＵ１ａによってプログラムが実行される。図３の一部または全部の機能を、ハードウェアのみによって実現するようにしてもよい。印刷支援システム１として、サーバ用の装置（サーバ機）が用いられる。図３の各部を複数台のサーバ機などに分散するように、印刷支援システム１を構成してもよい。
【００１８】
このような構成により、印刷支援システム１は、外出中のユーザなどに対して近くにある印刷装置２を紹介するための処理を行う。以下、ユーザが近くのサービスセンタで書類の印刷を行う際の、印刷支援システム１、印刷装置２、および端末装置３などの処理の内容について説明する。
【００１９】
図４は情報管理部１ＤＢの構成の例を示す図、図５はユーザデータベースＲＣ１の例を示す図、図６は出力サービスデータベースＲＣ２の例を示す図、図７は印刷装置データベースＲＣ３の例を示す図、図８は印刷履歴データベースＲＣ４の例を示す図、図９は画質クラスのクラス分けの例を示す図、図１０は好適装置学習データベースＲＣ５の例を示す図である。
【００２０】
図３の情報管理部１ＤＢは、図４に示すように、ユーザデータベースＲＣ１、出力サービスデータベースＲＣ２、印刷装置データベースＲＣ３、印刷履歴データベースＲＣ４、好適装置学習データベースＲＣ５、および地図情報データベースＲＣ６などのデータベースを有しており、これらのデータベースの管理を行う。
【００２１】
ユーザデータベースＲＣ１は、図５に示すように、ユーザのユーザＩＤ、パスワード、および連絡先の電子メールアドレスなどの情報を記憶している。印刷支援システム１を一度も使ったことのないユーザは、印刷支援システム１の管理者などに依頼して、自分のユーザＩＤおよびパスワードを予め発行してもらっておく。
【００２２】
出力サービスデータベースＲＣ２は、図６に示すように、印刷システム１００で提供可能な出力サービスに関する情報を記憶している。「出力サービス」とは、書類を印刷するサービスのことを意味する。本実施形態では、出力サービスとして、特殊な用紙を用いた高解像度印刷、標準的な解像度での印刷、またはＯＨＰ（Overhead Projector）用のフィルムへの印刷など、様々な印刷（出力）の形態またはスタイルのものが用意されている。各印刷装置のメーカは、自社の印刷装置の性能に応じて、出力サービスを自由に設けてユーザに提供することができる。図６の例では、Ｊ社が４種類の出力サービスを提供し、Ｋ社が２種類の出力サービスを提供していることが示されている。
【００２３】
図６において、「出力サービスＩＤ」は、その出力サービスを識別するための識別情報である。「出力サービス名」は、ユーザに対して出力サービスの内容を分かりやすく知らせるための名称であって、メーカが自由に付けることができる。
【００２４】
「対応画質」および「画像サイズ」は、それぞれ、その出力サービスで印刷を行う際の、印刷対象の書類に含まれる写真またはイラストなどの画像の、推奨画質および推奨サイズを示している。「用紙種類」は、その出力サービスで用いられる用紙の種類を示している。
【００２５】
印刷装置データベースＲＣ３は、図７に示すように、各サービスセンタに設置されている印刷装置２に関する情報を記憶している。
【００２６】
図７において、「印刷装置ＩＤ」は、印刷装置２を識別するための識別情報である。「店舗位置」は、その印刷装置２が設置されているサービスセンタの座標（経度および緯度）を示している。
【００２７】
「出力サービスＩＤ」は、その印刷装置２が提供している出力サービスを示している。図７の例では、「ＡＡＡストア」の印刷装置２が４種類の出力サービスを提供していることが分かる。「用紙サイズ」は、そのサービスセンタでその出力サービスによる印刷が可能な用紙サイズを示している。どの出力サービスおよび用紙サイズを提供するのかは、サービスセンタが、印刷装置２の性能の範囲内で客層やニーズなどに応じて自由に決めることができる。「価格」は、そのサービスセンタでその出力サービスによる印刷を行った際の単価を示しており、サービスセンタが自由に設定することが可能である。
【００２８】
「ステータス」は、その印刷装置２に関する現在の状況を示している。例えば、稼動中であるか否か、用紙切れまたは紙詰まりなどのトラブルの有無、または印刷処理を待っている書類のページ数（未処理のジョブの量）などを示している。ステータスの情報は、各印刷装置２から適宜送信されてくる。
【００２９】
印刷履歴データベースＲＣ４は、図８に示すように、印刷システム１００内の印刷装置２で実行された印刷（出力）の処理の履歴情報を記憶している。
【００３０】
図８において、「オーダ番号」は、１回の印刷の処理ごとに発行される識別情報である。「ユーザＩＤ」および「端末装置種別」は、それぞれ、その印刷を要求したユーザのユーザＩＤおよび端末装置３の種類を示している。
【００３１】
「出力対象画質」は、その印刷の対象となった書類に含まれていた画像の品質（画質）を示している。「画質クラス」は、その画像の画質のクラス（レベル、ランク）を示している。この画質クラスは、印刷支援システム１の運営者が予め図９のようにクラス分けして規定したものである。本実施形態では、クラスＡ〜Ｅの５段階のクラスが規定されているものとして説明する。
【００３２】
好適装置学習データベースＲＣ５は、印刷支援システム１のサービスを利用したことのあるユーザごとに設けられており、図１０に示すように、ユーザの好みの出力サービスに関する情報を記憶している。
【００３３】
図１０において、「書類条件」は、過去に印刷を行った書類に関する条件を示している。本実施形態では、書類の画質クラスおよび要求元の端末装置３の種類（端末装置種別）の２つの項目を組み合わせて書類条件を表している。
【００３４】
「出力サービスＩＤ」は、その書類条件の下で利用された出力サービスの出力サービスＩＤを示している。例えば、図１０の好適装置学習データベースＲＣ５は、ユーザＩＤが「Ｕ０００１」であるユーザが「画質クラス＝クラスＡ、端末装置種別＝ＰＤＡ」である書類条件の下で３種類の出力サービスを利用したことを示している。「好適度」は、その出力サービスについての、そのユーザの好みの度合いの大きさを示している。
【００３５】
好適装置学習データベースＲＣ５は、ユーザが印刷装置２で印刷を行うたびに更新される。これにより、好適装置学習データベースＲＣ５は、ユーザの印刷スタイル（印刷条件）の好みを学習していく。好適装置学習データベースＲＣ５の更新の方法は、後に説明する。
【００３６】
地図情報データベースＲＣ６は、道路および建造物などの経度および緯度に関する情報および地図の画像データなどを記憶している。
【００３７】
図１１は印刷設定画面ＨＧ１の例を示す図、図１２は出力先選定処理の流れの例を説明するフローチャート、図１３は選定結果画面ＨＧ２の例を示す図、図１４は印刷開始指令処理の流れの例を説明するフローチャート、図１５はアンケート画面ＨＧ３の例を示す図である。
【００３８】
図３に戻って、ユーザは、印刷したい書類のデータ（ファイル）を自分が携帯している端末装置３に予め用意しておく。書類のデータは、例えば、ユーザの会社のサーバまたはインターネット上のＷｅｂサーバなどからダウンロードしてもよいし、端末装置３にインストールされているワープロソフト、表計算ソフト、または描画ソフトなどのアプリケーションソフトで作成してもよいし、端末装置３に内蔵されているデジタルカメラまたは外付けのデジタルカメラなどで撮影して用意してもよい。
【００３９】
ユーザは、印刷したい書類をオープンしておき、端末装置３に印刷コマンドを入力する。すると、端末装置３において、仮想プリンタドライバが起動し、図１１に示すような印刷設定画面ＨＧ１が表示される。ユーザは、プルダウンメニューＤＭ１をクリックして指定可能な出力先（印刷先）の一覧を表示させ、その中から「サービスデータセンタ」を選択する。この「サービスデータセンタ」は、印刷支援システム１を管理する機関（例えば、ＡＳＰ（Application Service Provider）またはＩＳＰ（Internet Service Provider）など）を意味する。印刷ボタンＢＴ１がクリックされると、端末装置３は、印刷支援システム１に対して印刷要求を送信する。
【００４０】
すると、印刷支援システム１において、図３の印刷要求受付部１０１は、その端末装置３に対してユーザＩＤおよびパスワードを入力するように要求する。そして、ユーザデータベースＲＣ１に登録されている正しいユーザＩＤおよびパスワードが入力されたことを確認できれば、端末装置３からの印刷要求を受け付ける。このときに、端末装置３より、印刷対象の書類の用紙サイズおよびその書類に含まれる画像のフォーマット、圧縮率、および画像サイズなどを示す書類属性情報７１およびその端末装置３に割り当てられている電話番号を示す情報を取得しておく。
【００４１】
位置情報取得部１０２は、端末装置３の現在地を示す位置情報７２を取得する。位置情報７２を取得するには、既存のシステムを用いればよい。例えば、富士通社の「ＦＬＡＩＲＩＮＣ（フレアリンク）」を用いると、プレゼンス情報（現在の位置情報７２）を簡単に取得することができる。係るシステムによると、携帯電話事業者に対して携帯電話端末またはＰＨＳ端末の位置を問い合わせ、位置情報７２を取得することができる。また、互いに異なる時刻における複数の位置情報７２を取得することによって、端末装置３（ユーザ）の移動速度を求めることができる。または、位置情報７２を端末装置３から直接取得するようにしてもよい。
【００４２】
出力先候補選定部１０３は、図１２に示すような手順で、ユーザの現在地の近くにあるサービスセンタの印刷装置２の中から、印刷対象の書類を印刷するのに適した印刷装置２を幾つか選定する。
【００４３】
まず、そのユーザの現在地から所定の範囲内にあるサービスセンタを検索対象に決定する（図１２の＃１０１）。例えば、ユーザの移動速度に基づいて、ユーザが止まっているか、歩いているか、または自動車で移動しているか、を判別し、止まっているまたは歩いている場合は現在地から半径１００ｍの範囲内にあるサービスセンタを検索対象に決定し、自動車で移動している場合は半径２ｋｍの範囲内にあるサービスセンタを検索対象に決定する。
【００４４】
または、ユーザが所定の時間内（例えば、およそ５分以内）に移動できる範囲にあるサービスセンタを検索対象と決定してもよい。この場合の範囲は、ＧＩＳ（Geographical Information System）またはＶＩＣＳ（Vehicle Information and Communication System）などの既存のシステムまたは公知の方法によって求めることができる。
【００４５】
そのユーザに適した出力サービスを次のように場合分けして判別する（＃１０２〜＃１０５）。そのユーザが印刷支援システム１を初めて利用する場合は（＃１０２でＹｅｓ）、そのユーザの端末装置３から取得された書類属性情報７１に示される画像のフォーマット、圧縮率、および画像サイズの要件を満たす出力サービスを、図６の出力サービスデータベースＲＣ２を参照して探し出す。そして、その出力サービスを、そのユーザに適した出力サービスと判別する（＃１０３）。なお、印刷支援システム１を初めて利用するか否かは、図８の印刷履歴データベースＲＣ４を参照することによって求められる。
【００４６】
そのユーザが過去に印刷支援システム１を利用したことがある場合は（＃１０２でＮｏ）、まず、そのユーザの端末装置３から取得された書類属性情報７１に基づいて印刷対象の書類の画質クラスおよびその端末装置３の種類（端末装置種別）を判別する（＃１０４）。画質クラスは、図９の規定を参照することによって求められる。
【００４７】
そのユーザの好適装置学習データベースＲＣ５に基づいて、今回の条件（画質クラスおよび端末装置種別）で印刷する場合の、そのユーザにとっての好みの出力サービスを判別する（＃１０５）。このとき、「好適度」の高いものを優先する。
【００４８】
例えば、そのユーザの好適装置学習データベースＲＣ５が図１０に示すような内容であり、かつ、ステップ＃１０３において画質クラスが「クラスＡ」でありかつ端末装置種別が「ＰＤＡ」であると判別されたとする。この場合は、まず、「好適度」が最も高い、出力サービスＩＤが「Ｓ−Ｊ０１」である出力サービスを、そのユーザの好みであると判別する。
【００４９】
なお、好適度の高さが所定の順位までの出力サービスを、そのユーザの好みであると判別してもよい。この場合は、ステップ＃１０１で求めた検索対象のサービスセンタの軒数に応じて、出力サービスの個数を決めてもよい。つまり、ユーザの周囲のサービスセンタが少ない場合はユーザの好みの出力サービスを多めに判別し、サービスセンタが多い場合はユーザの好みの出力サービスを少なめに判別するようにしてもよい。
【００５０】
図７の印刷装置データベースＲＣ３に基づいて、ステップ＃１０１で求めたサービスセンタに設置されている印刷装置２の中から、ステップ＃１０３または＃１０５で判別した出力サービスの提供が可能でありかつ書類属性情報７１に示される用紙サイズの出力が可能な印刷装置２を選択する（＃１０６）。
【００５１】
さらに、選択した印刷装置２の中から、そのユーザがサービスセンタに到着してからすぐに印刷を開始することができる印刷装置２だけを選択する（＃１０７）。例えば、必要な用紙が空である印刷装置２、紙詰まりなどのトラブルが発生している印刷装置２、および閉店中のサービスセンタにある印刷装置２などを除外する。また、印刷装置２に印刷待ちの書類が溜まっている場合は、その印刷装置２の印刷速度、印刷待ちの書類の量、そのユーザがサービスセンタに到着するまでに掛かる時間、またはそのユーザの端末装置３の通信速度などに基づいて、そのユーザがサービスセンタに到着してから所定の時間内にそのユーザが依頼した印刷処理を開始することができるか否かを予測する。そして、開始することができないと予測した場合は、その印刷装置２を除外する。以上のようにして、ユーザにとって好適な印刷装置２が選定される。
【００５２】
図３に戻って、出力先候補通知部１０４は、出力先候補選定部１０３によって選定された印刷装置２および出力サービスを示す選定結果情報７４およびその印刷装置２が設置されているサービスセンタ付近の地図の画像データ７５を端末装置３に通知する。すると、端末装置３では、図１３に示すような、選定結果画面ＨＧ２が表示される。
【００５３】
ユーザは、印刷装置２の選定をやり直したい場合は、ボタンＢＴ２３をクリックして検索範囲指定画面（図示しない）を表示させ、検索範囲の中心地およびその広さを指定する。すると、印刷支援システム１の出力先候補選定部１０３は、指定された検索範囲で、印刷装置２の選定をやり直す。また、書類の画質（画像の圧縮率など）を変更して印刷を行いたい場合は、品質変更ボタンＢＴ２４をクリックして画質変更画面（図示しない）を表示させ、画質を指定する。すると、出力先候補選定部１０３は、指定された画質に適した印刷装置２の選定を行う。ただし、この場合は、端末装置３は、後に説明する書類データ７０を、指定された画質に補正してから印刷装置２に送信する。
【００５４】
ユーザは、この選定結果画面ＨＧ２を見ながら印刷装置２の出力サービスおよびサービスセンタの場所を確認し、書類の印刷先（出力先）にしたい印刷装置２に対応する送信ボタンＢＴ２１、ＢＴ２２をクリックして指定する。その書類がとても重要であるので、早く書類の印刷物を手に入れることよりも、他人に見られたり盗まれたりするリスクをなくすことを優先させたい場合は、送信ボタンＢＴ２１、ＢＴ２２をクリックする前に、チェックボックスＣＸ２にチェック印を入れておく。
【００５５】
送信ボタンＢＴ２１、ＢＴ２２がクリックされると、端末装置３は、出力先として指定された印刷装置２を示す出力先指定情報７３を、印刷支援システム１に送信する。
【００５６】
図３の出力先指定受付部１０５は、端末装置３から出力先指定情報７３を受信すると、今回の印刷の注文を識別するためのオーダ番号（reference）を発行する。データ送信指令部１０６は、その端末装置３に対して、そのオーダ番号を通知して、印刷対象の書類を印刷するためのデータ（以下、「書類データ７０」と記載する。）を送信するように指令する。
【００５７】
すると、端末装置３は、書類データ７０を、そのユーザのユーザＩＤ、その書類の印刷に用いる出力サービスの出力サービスＩＤ、およびその書類に対して発行されたオーダ番号と対応付けて、ユーザが指定した印刷装置２に送信する。図１３のチェックボックスＣＸ２にチェック印がある場合は、その書類が重要書類である旨を示す情報も一緒に送信する。これで、書類の印刷の注文が完了する。
【００５８】
また、書類データ７０は、必要に応じて、その印刷装置２に対応したページ記述言語のデータに変換して送信する。例えば、現在ほとんどの機種の印刷装置で採用されているアドビシステムズ社のＰｏｓｔＳｃｒｉｐｔのデータに変換して送信する。
【００５９】
印刷指令部１０７は、図１４に示すような手順で、印刷装置２に対して印刷開始の指令を与える。まず、印刷の要求を行ったユーザの端末装置３の最新の位置情報７２を位置情報取得部１０２に取得させる（図１４の＃２０１）。その位置情報７２に示される位置とそのユーザが出力先として指定した印刷装置２が設置されているサービスセンタの位置（図７の店舗位置）とを比較し、両者が一致しまたは両者の差が所定の距離（例えば、数メートル）以内になるのを監視する（＃２０２）。
【００６０】
両者が一致しまたは両者の差が所定の距離以内になったらユーザがサービスセンタに到着したと判別し（＃２０３でＹｅｓ）、その印刷装置２に対して印刷を開始するように指令する（＃２０４）。このとき、そのユーザの印刷対象の書類に対して発行したオーダ番号もその印刷装置２に通知しておく。
【００６１】
ステップ＃２０１〜＃２０３の処理は、ユーザがサービスセンタに到着するまで所定の時間おきに（例えば、数秒〜数分おきに）繰り返し行う。
【００６２】
図３に戻って、印刷装置２は、印刷支援システム１からオーダ番号の通知を受信すると、そのオーダ番号に対応する書類データ７０に基づいて、ユーザが指定した出力サービスによって書類の印刷を行う。このとき、他の書類の印刷物と区別するために、そのユーザのユーザＩＤおよびオーダ番号を記載した表紙（区切りページ）も書類とともに印刷する。
【００６３】
ユーザは、サービスセンタの店員から印刷の代金と引換えにその書類の印刷物を受け取る。店員は、代金を受け取ると、印刷装置２を操作するなどして、決済が完了した旨を印刷支援システム１に通知する。
【００６４】
なお、その書類が重要書類でない場合（つまり、ユーザが図１３のチェックボックスＣＸ２にチェック印を入れなかった場合）は、端末装置３からその書類の書類データ７０を受信した後、印刷指令部１０７からの指令を待たずに印刷を開始してもよい。
【００６５】
すなわち、すべての書類についてユーザが印刷装置の近傍に存在するか否かで印刷の開始の可否を決めると、印刷を依頼した複数のユーザが一度にサービスセンタに到着した場合に、ユーザは、印刷物を受け取るのに長時間待たされるおそれがある。そこで、このように、書類の重要度に応じて印刷のタイミングを早めることによって、全体として、印刷装置を効率的に稼動させ、印刷物の受取りに要する時間を短縮することができる。例えば、データ量は大きいが他人に見られても支障のない書類は、すぐに印刷を開始するようにする。これにより、印刷を依頼したユーザはサービスセンタに到着するとすぐに印刷物を受け取ることができるし、そのユーザより後にサービスセンタに到着した他のユーザも、自分の印刷物をすぐに受け取ることができる。
【００６６】
決済の完了後、印刷を依頼（要求）したユーザの端末装置３には、図１５に示すようなアンケート画面ＨＧ３が表示される。ユーザは、印刷の品質について満足である場合はチェックボタンＣＢ３１を選択し、不満足である場合はチェックボタンＣＢ３２を選択して、アンケートに回答する。そして、回答後、送信ボタンＢＴ３をクリックする。
【００６７】
回答情報受付部１０８は、アンケート画面ＨＧ３で回答された内容に基づいて、次のように、そのユーザの好適装置学習データベースＲＣ５（図１０参照）を更新する処理を行う。
【００６８】
満足である旨が回答された場合は、今回の印刷に係る書類データ７０の画質クラス、要求元の印刷装置２の端末装置種別、および出力サービスの出力サービスＩＤの組合せ（レコード）に対応する「好適度」に１点を加算する。逆に、不満足である旨が回答された場合は、１点を減算する。対応するレコードがない場合は、新たにその組のレコードを追加し、その「好適度」に１点を加算しまたは減算する。このようにして、好適装置学習データベースＲＣ５は、ユーザの印刷スタイルの好みを学習していく。
【００６９】
また、初めて印刷支援システム１を利用したユーザの場合は、アンケートに対する回答があったときに、そのユーザの好適装置学習データベースＲＣ５を生成し、点数を加算しまたは減点する処理を行ってもよい。
【００７０】
図１６は印刷システム１００の全体の処理の流れの例を説明するフローチャートである。次に、あるユーザが外出先で書類を印刷する際の、印刷システム１００を構成する各部の処理の流れを、フローチャートを参照して説明する。
【００７１】
例えば、顧客先に移動中のユーザＨＭが、顧客に渡す書類の印刷物を自分の会社に置き忘れたことに気が付いたとする。そこで、ユーザＨＭは、その書類のデータを、自社のコンピュータにアクセスしてダウンロードしまたは同僚に電子メールで送信してもらうなどして用意する（図１６の＃１）。そして、その書類の印刷を印刷支援システム１に対して要求する（＃２）。
【００７２】
すると、印刷支援システム１は、ユーザＨＭの現在地の近くにありかつその書類を上手く印刷することができる印刷装置２を選定する（＃３）。係る選定の処理は、前に図１２で説明した通りである。選定の結果を端末装置３に送信することによって、出力先として好ましい印刷装置２を推薦する（＃４）。
【００７３】
ユーザＨＭは、選定の結果（図１３参照）を見ながら出力先の印刷装置２を指定する（＃５）。すると、印刷支援システム１は、その書類の印刷処理に対してオーダ番号（reference）を発行し（＃６）、これをユーザＨＭの端末装置３に通知する（＃７）。このとき、その端末装置３とその印刷装置２とのセッションを確立するための制御も行う。
【００７４】
端末装置３は、その書類の書類データ７０を、通知されたオーダ番号、ユーザＨＭのユーザＩＤ、およびユーザＨＭが指定した出力サービスの出力サービスＩＤと対応付けて、ユーザＨＭが指定した印刷装置２に送信する（＃８）。印刷装置２は、書類データ７０をスプールして印刷の準備を行う。そして、準備が完了した旨を端末装置３に通知しておく。
【００７５】
なお、送信後、その印刷装置２とのセッションを切断し、印刷支援システム１に接続して送信が成功した旨を通知しておく。送信に失敗した場合も、その印刷装置２とのセッションを切断し、印刷支援システム１にその旨を通知する。この場合は、この後の処理を中止する。
【００７６】
一方、印刷支援システム１は、オーダ番号を発行した後、ユーザＨＭが出力先の印刷装置２の設置されているサービスセンタに到着するのを監視する（＃９）。そして、ユーザＨＭが到着したら（＃９でＹｅｓ）、そのオーダ番号に係る印刷処理を開始するようにその印刷装置２に対して指令する（＃１０）。
【００７７】
印刷装置２は、印刷支援システム１からの指令を受けると、ユーザＨＭの端末装置３から送信されてきた書類データ７０などに基づいてその書類を印刷する（＃１１）。ユーザＨＭは、印刷料金を支払ってこの書類を受け取る。印刷装置２は、印刷料金の決済などが終わった後、印刷が完了した旨を印刷支援システム１に通知する（＃１２）。印刷に失敗した場合は、その旨を印刷支援システム１に通知する。この場合は、この後の処理を中止する。なお、印刷後、その書類の書類データ７０を削除する。
【００７８】
すると、印刷支援システム１は、その印刷装置２を設置しているサービスセンタに対する課金処理などを行うなどして、印刷のための一連の処理（トランザクション）を終了する（＃１４）。
【００７９】
ステップ＃１４の処理と並行して、印刷支援システム１は、ユーザＨＭに対して、今回の印刷に関するアンケートに回答するように要求する（＃１３）。そして、その回答結果に基づいてユーザＨＭの好適装置学習データベースＲＣ５（図１０参照）を更新することによって、ユーザＨＭの好みの印刷のスタイルを学習する（＃１５）。
【００８０】
なお、書類の重要度に応じて、ステップ＃９の監視の処理を行うか否かを決定してもよい。そして、監視の処理を行わない場合は、書類データ７０を受信してスプールすると直ちに書類を印刷する。例えば、ユーザが図１３のチェックボックスＣＸ２にチェック印を入れなかった書類については、監視の処理を行わずに直ちに印刷を開始する。
【００８１】
本実施形態によると、ユーザは、印刷対象の書類を好適に印刷することができる印刷装置２を容易に知ることができる。また、重要な書類は、その印刷装置２の設置されているサービスセンタに到着してから印刷されるので、情報の秘匿性を確保することができる。
【００８２】
印刷装置２は、ユーザの好みに応じて選定される。よって、ユーザは、初めて訪れる地域でも、普段使用していると印刷装置２と同様の印刷（出力）サービスを受けることができる。また、外出先で必要な書類を選択して印刷することができるので、必要であるか否かが疑わしい書類を出掛ける前に念のために印刷しておく必要がなくなる。よって、無駄な印刷をなくし、用紙を節約することができる。
【００８３】
ユーザの個人情報を印刷支援システム１で一元管理することができる。よって、ユーザの個人情報が分散し漏洩することを防止することができる。
【００８４】
本実施形態では、書類の出力を、その書類の画像を用紙に印刷することによって行ったが、その書類の電子データをＣＤ−ＲまたはＭＯなどの記録媒体に書き込むことによって行ってもよい。
【００８５】
この場合は、サービスセンタには、これらの記録媒体に対応したドライブを有する装置を設置しておく。また、出力サービスデータベースＲＣ２（図６参照）に「フォトＣＤ焼付けサービス」などの名称の出力サービスを登録しておき、係る出力サービスを提供することができるサービスセンタを印刷装置データベースＲＣ３（図７参照）に登録しておく。そして、ユーザから係る出力サービスが指定されたときに、印刷支援システム１は、そのユーザの現在地の近くにあるサービスセンタを紹介する。
【００８６】
係る出力サービスによると、例えば、デジタルカメラ内蔵の携帯電話端末を持つユーザは、携帯電話端末に蓄積された写真の一部または全部を外出先の最寄りのサービスセンタでＣＤ−Ｒに保存することによって、フォトＣＤを作成することができる。
【００８７】
本実施形態では、端末装置３は、出力対象の書類の書類データ７０を、出力先の印刷装置２が決まったらすぐにその印刷装置２に送信したが、しばらくしてから送信するようにしてもよい。例えば、ユーザとその印刷装置２の設置されているサービスセンタとの距離が所定の値以内になったときに送信するようにしてもよい。これにより、書類データ７０が印刷装置２に保存される時間を短縮し、印刷装置２のディスクスペースを節約することができる。
【００８８】
本実施形態では、図１０に示すように、好適装置学習データベースＲＣ５は、どのような画質クラスおよび端末装置種別の条件のときにどのような出力サービスが好んで利用されたのかを記録（学習）したが、これ以外の条件に基づいて学習を行うようにしてもよい。例えば、画像サイズ、印刷枚数、印刷部数、印刷した時間帯または曜日、または重要種類であるか否か、などの条件も考慮して、ユーザの好みを学習するようにしてもよい。または、いずれか１つの条件のみに基づいて学習するようにしてもよい。
【００８９】
本実施形態では、図１２で説明したように、２回目以降の利用の場合は好適装置学習データベースＲＣ５を参照して出力先の印刷装置２を紹介（推薦）したが、ある程度の利用回数になるまでは、好適装置学習データベースＲＣ５を参照せずに、初めての利用の場合と同様の方法で出力先の印刷装置２を紹介するようにしてもよい。そして、利用回数が増えて好適装置学習データベースＲＣ５の信頼性が高くなってから、好適装置学習データベースＲＣ５を参照するようにすればよい。また、ステップ＃１０７で選定された印刷装置２と併せて、割引などのキャンペーンを実施しているサービスセンタの印刷装置２や新しい出力サービスを備えた印刷装置２などをユーザに紹介するようにしてもよい。
【００９０】
印刷装置２に、ロック式の出力カセット（出力トレイ）を設けておき、書類の印刷物をこの出力カセットに排出するようにしてもよい。この場合に、ユーザは、サービスセンタの店員に印刷料金を支払って、出力カセットの鍵を受け取る。そして、その鍵で出力カセットのロックを解除し、印刷物を手に入れる。または、パスワードを入力してロックを解除するようにしてもよい。この場合は、パスワードをユーザの端末装置３に送信するようにしてもよい。
【００９１】
書類データ７０を印刷装置２に送信した後で印刷待ちのジョブが多いことが分かった場合は、他の印刷装置２を選定し直し、ユーザが新たに指定した印刷装置２に書類データ７０を再度送信するようにしてもよい。
【００９２】
本実施形態では、ＪＰＥＧフォーマットの圧縮率に基づいて画質クラスを定義したが（図９参照）、ビットマップまたはＰＮＧ（Portable Network Graphics）などの他の画像フォーマットについても、カラーマップのビット数などに基づいて画質クラスを定義しておいてもよい。
【００９３】
本実施形態では、図１５に示すように、印刷品質に関するアンケートを２段階評価で行ったが、「とても満足した」、「満足した」、「普通」、「やや不満」、および「とても不満」のように、５段階評価で行ってもよい。
【００９４】
また、アンケートを行うことなく図１０の好適装置学習データベースＲＣ５を更新するようにしてもよい。この場合は、使用頻度に基づいてユーザの好みを学習すればよい。つまり、１回印刷が行われるごとに、その印刷の際の書類条件および出力サービスに対応する好適度に１点を加算するようにすればよい。
【００９５】
印刷料金を、例えば次のようにして徴収するようにしてもよい。印刷装置２は、端末装置３から印刷対象の書類の書類データ７０を正常に受信すると、その旨を印刷支援システム１に通知する。印刷支援システム１は、その書類の印刷料金を算出し、これをそのユーザのユーザＩＤおよびその書類のオーダ番号と対応付けて記憶するとともに、そのユーザに通知する。
【００９６】
印刷装置２は、書類の印刷後、ユーザから印刷料金を受け取ると、印刷が完了した旨および印刷料金を受け取った旨をその書類のオーダ番号とともに印刷支援システム１に通知する。印刷支援システム１は、これらの通知を受けると、そのオーダ番号に対応する印刷料金が支払われた旨を記憶する。
【００９７】
このように、各印刷装置２での印刷料金の支払いの有無を印刷支援システム１で一元管理することによって、印刷料金の未払いを防止することができる。
【００９８】
書類データ７０が印刷装置２にスプールされてから一定時間を過ぎてもユーザが到着しない場合は、今回の印刷処理をキャンセルするようにしてもよい。
【００９９】
その他、印刷システム１００、印刷支援システム１、印刷装置２、端末装置３の全体または各部の構成、処理内容、処理順序などは、本発明の趣旨に沿って適宜変更することができる。
【０１００】
以上説明した実施形態に関し、さらに以下の付記を開示する。
（付記１）印刷装置ごとに当該印刷装置の性能および設置場所を示す属性情報を記憶する属性情報記憶手段と、
印刷を所望するユーザが携帯する端末装置から、印刷対象である書類の画質を示す画質情報を受信する画質情報受信手段と、
前記端末装置の位置を示す位置情報を受信する位置情報受信手段と、
前記各印刷装置の前記属性情報と受信した前記画質情報および前記位置情報とを比較することによって前記ユーザの近くにありかつ前記書類の印刷に適した１台または複数台の前記印刷装置を選定する印刷装置選定手段と、
前記印刷装置選定手段による選定結果を前記端末装置に通知する選定結果通知手段と、
前記端末装置から、前記ユーザが前記書類の印刷先に指定した前記印刷装置を示す指定情報を受信する指定情報受信手段と、
前記位置情報受信手段によって受信された最新の前記位置情報に示される位置が前記指定情報に示される前記印刷装置の前記属性情報に示される設置場所と一致したときに、当該印刷装置が前記端末装置より取得した前記書類の印刷データに基づいて印刷処理を開始するように当該印刷装置に対して指令する、印刷指令手段と、
を有することを特徴とする印刷支援システム。
（付記２）前記書類の印刷データを前記指定に係る前記印刷装置に送信するように前記端末装置に対して指令する印刷データ送信指令手段を有する、
付記１記載の印刷支援システム。
（付記３）前記印刷データ送信指令手段は、前記位置情報受信手段によって受信される前記端末装置の最新の前記位置情報に示される位置と前記指定に係る前記印刷装置の前記属性情報に示される設置場所との距離が所定の値以内になったときに、前記印刷データを送信するように指令する、
付記２記載の印刷支援システム。
（付記４）前記属性情報には、前記印刷装置の状況を示すステータス情報が含まれており、
前記印刷装置選定手段は、障害が生じている旨を示す前記ステータス情報を有する前記印刷装置を除外して選定を行う、
付記１ないし付記３のいずれかに記載の印刷支援システム。
（付記５）
前記指定情報受信手段は、前記書類の前記指定情報とともに当該書類の重要度を示す重要度情報を受信し、
前記印刷指令手段は、前記書類の前記重要度情報に当該書類が重要でない旨が示される場合は、前記位置情報に示される位置に関わらず、当該書類の印刷処理を開始するように指令する、
付記１ないし付記４のいずれかに記載の印刷支援システム。
（付記６）印刷装置ごとに当該印刷装置で実現可能な印刷スタイルおよび当該印刷装置の設置場所を示す属性情報を記憶する属性情報記憶手段と、
印刷を所望するユーザが携帯する端末装置から、印刷対象の書類の画質を示す画質情報を受信する画質情報受信手段と、
前記端末装置の位置を示す位置情報を受信する位置情報受信手段と、
画質をクラス分けした画質クラスごとに、当該画質クラスに属する画質の書類を印刷する場合の前記ユーザの好みの印刷スタイルを記憶する好みスタイル記憶手段と、
受信した前記画質情報に示される画質の属する前記画質クラスの、前記ユーザの好みの印刷スタイルを実現可能でありかつ設置場所が前記ユーザの近くである前記印刷装置を選定する印刷装置選定手段と、
前記印刷装置選定手段による選定結果を前記端末装置に通知する選定結果通知手段と、
前記端末装置から、前記ユーザが前記印刷対象の書類の印刷先に指定した前記印刷装置を示す指定情報を受信する指定情報受信手段と、
前記位置情報受信手段によって受信される最新の前記位置情報に示される位置が前記指定情報に示される前記印刷装置の前記属性情報に示される設置場所と一致したときに、当該印刷装置が当該端末装置より取得した前記印刷対象の書類の印刷データに基づいて印刷処理を開始するように当該印刷装置に対して指令する、印刷指令手段と、
を有することを特徴とする印刷支援システム。
（付記７）印刷を所望するユーザが外出先で書類の印刷を行うための支援を行う印刷支援方法であって、
印刷装置ごとに当該印刷装置の性能および設置場所を示す属性情報を属性情報記憶手段に記憶させておき、
前記ユーザが携帯する端末装置から、印刷対象の書類の画質を示す画質情報を受信するステップと、
前記端末装置の位置を示す位置情報を受信するステップと、
前記各印刷装置の前記属性情報と受信した前記画質情報および前記位置情報とを比較することによって前記ユーザの近くにありかつ前記印刷対象の書類の印刷に適した１台または複数台の前記印刷装置を選定するステップと、
選定結果を前記端末装置に通知するステップと、
前記端末装置から、前記ユーザが前記印刷対象の書類の印刷先に指定した前記印刷装置を示す指定情報を受信するステップと、
受信された最新の前記位置情報に示される位置が前記指定情報に示される前記印刷装置の前記属性情報に示される設置場所と一致したときに、当該印刷装置が前記端末装置より取得した前記印刷対象の書類の印刷データに基づいて印刷処理を開始するように当該印刷装置に対して指令するステップと、
を有することを特徴とする印刷支援方法。
（付記８）印刷を所望するユーザが外出先で書類の印刷を行うための支援を行うコンピュータに用いられるコンピュータプログラムであって、
印刷装置ごとに当該印刷装置の性能および設置場所を示す属性情報を記憶する属性情報記憶手段にアクセスする処理と、
前記ユーザが携帯する端末装置から、印刷対象の書類の画質を示す画質情報を受信する処理と、
前記端末装置の位置を示す位置情報を受信する処理と、
前記各印刷装置の前記属性情報と受信した前記画質情報および前記位置情報とを比較することによって前記ユーザの近くにありかつ前記印刷対象の書類の印刷に適した１台または複数台の前記印刷装置を選定する処理と、
選定結果を前記端末装置に通知する処理と、
前記端末装置から、前記ユーザが前記印刷対象の書類の印刷先に指定した前記印刷装置を示す指定情報を受信する処理と、
受信された最新の前記位置情報に示される位置が前記指定情報に示される前記印刷装置の前記属性情報に示される設置場所と一致したときに、当該印刷装置が前記端末装置より取得した前記印刷対象の書類の印刷データに基づいて印刷処理を開始するように当該印刷装置に対して指令する処理と、
をコンピュータに実行させるためのコンピュータプログラム。
【産業上の利用可能性】
【０１０１】
本発明は、コンビニエンスストアなどの施設に設置されている印刷装置２の利用を促進するために好適に用いられる。
【図面の簡単な説明】
【０１０２】
【図１】印刷システムの全体的な構成の例を示す図である。
【図２】印刷支援システムのハードウェア構成の例を示す図である。
【図３】印刷支援システムの機能的構成の例を示す図である。
【図４】情報管理部の構成の例を示す図である。
【図５】ユーザデータベースの例を示す図である。
【図６】出力サービスデータベースの例を示す図である。
【図７】印刷装置データベースの例を示す図である。
【図８】印刷履歴データベースの例を示す図である。
【図９】画質クラスのクラス分けの例を示す図である。
【図１０】好適装置学習データベースの例を示す図である。
【図１１】印刷設定画面の例を示す図である。
【図１２】出力先選定処理の流れの例を説明するフローチャートである。
【図１３】選定結果画面の例を示す図である。
【図１４】印刷開始指令処理の流れの例を説明するフローチャートである。
【図１５】アンケート画面の例を示す図である。
【図１６】印刷システムの全体の処理の流れの例を説明するフローチャートである。
【符号の説明】
【０１０３】
１  印刷支援システム
２  印刷装置
３  端末装置
７１  書類属性情報（画質情報）
７２  位置情報
７３出力先指定情報
７４  選定結果情報
１０１  印刷要求受付部（画質情報受信手段）
１０２  位置情報取得部（位置情報受信手段）
１０３  出力先候補選定部（印刷装置選定手段）
１０４  出力先候補通知部（選定結果通知手段）
１０５  出力先指定受付部（指定情報受信手段）
１０６  データ送信指令部（印刷データ送信指令手段）
１０７  印刷指令部（印刷指令手段）
ＲＣ２  出力サービスデータベース（属性情報記憶手段）
ＲＣ３  印刷装置データベース（属性情報記憶手段）
ＲＣ５  好適装置学習データベース（好みスタイル記憶手段）
【図１】
2005275724.tif 000003
【図２】
2005275724.tif 000004
【図３】
2005275724.tif 000005
【図４】
2005275724.tif 000006
【図５】
2005275724.tif 000007
【図６】
2005275724.tif 000008
【図７】
2005275724.tif 000009
【図８】
2005275724.tif 000010
【図９】
2005275724.tif 000011
【図１０】
2005275724.tif 000012
【図１１】
2005275724.tif 000013
【図１２】
2005275724.tif 000014
【図１３】
2005275724.tif 000015
【図１４】
2005275724.tif 000016
【図１５】
2005275724.tif 000017
【図１６】
2005275724.tif 000018